(57)【特許請求の範囲】
【請求項１】
百貨店や遊園地等の多数の人が入場する会場内で、迷子や待ち合わせ等の連絡を行うための会場内発見連絡システムであって、
迷子や待ち合わせ人等の少なくとも名前を記憶した記憶媒体カードと、
前記会場内における複数箇所に設置され、カード読み取り部を有する発見連絡機と、
前記複数の発見連絡機に接続され、少なくとも１つの発見連絡機からの入力情報を、他の発見連絡機に出力する中央情報コントローラとを備え、
前記発見連絡機には、前記カード読み取り部と、用件表示用操作部と、用件表示部とが設けられ、
前記中央情報コントローラには、前記少なくとも１つの発見連絡機が有する前記カード読み取り部に於いて読み取られた前記記憶媒体カードの情報と該送信を行った発見連絡機の情報を入力情報として記憶する記憶部と、前記情報を表示する表示部と、前記情報を他の発見連絡機に送信して他の発見連絡機の用件表示部に表示するための送信部とが設けられ、
前記他の発見連絡機は、前記発見連絡機からの入力情報に対する応答情報を、前記中央情報コントローラに送信し、
該中央情報コントローラが、前記記録部に記録される入力情報を元に、この入力情報を送信した前記発見連絡機を特定し、この発見連絡機へ前記応答情報を送信することを特徴とする記憶媒体カードを利用した会場内発見連絡システム。
【請求項２】
前記発見連絡機が、前記記憶媒体カードを読み込んだ際に、該記憶媒体カードを挿入した利用者を撮影して映像情報を作成し、前記映像情報を前記入力情報に組み込むことを特徴とする請求項１記載の記憶媒体カードを利用した会場内発見連絡システム。
【請求項３】
請求項１又は２の記憶媒体カードを利用した会場内発見連絡システムにおいて、発見連絡対象が迷子である場合には、前記中央情報コントローラに入力された迷子情報を会場内に音声で伝達するための音声伝達手段が更に設けられ、発見連絡機には、前記音声伝達手段による音声情報に基づいて迷子応答情報を用件表示部に表示させるための応答操作部が設けられていることを特徴とする記憶媒体カードを利用した会場内発見連絡システム。
【請求項４】
前記発見連絡機が、会場内の複数箇所に設置された自動販売機に組み込まれていることを特徴とする請求項１乃至３のいずれかに記載の記憶媒体カードを利用した会場内発見連絡システム。
【請求項５】
前記発見連絡機が、会場内の複数箇所に設置された空き缶回収機に組み込まれていることを特徴とする請求項１乃至３のいずれかに記載の記憶媒体カードを利用した会場内発見連絡システム。
【請求項６】
前記記憶媒体カードが、光学読み取りカード、非接触式記憶カード、磁気記憶カード、光印字記憶カード、エンボス式読み取りカードのいずれかであることからなる請求項１乃至５のいずれかに記載の記憶媒体カードを利用した会場内発見連絡システム。
【発明の詳細な説明】
【０００１】
【産業上の利用分野】
本発明は、百貨店や遊園地等の多数の人が入場する会場内で、迷子や待ち合わせ等の連絡を行うための記憶媒体カードを利用した会場内発見連絡システムに関し、特に、迷子や待ち合わせの連絡をスムーズ且つ安全に行うことが可能な記憶媒体カードを利用した会場内発見連絡システムに関する。
【０００２】
【従来の技術】
従来、百貨店や遊園地等の多数の人が入場する会場内では、大人も子供も買物や遊びに熱中してしまい、気がつくと保護者や友人等とはぐれたりすることが多く、その度に、場内アナウンスで呼び出してもらって探したり、迷子の場合は優しい人に出会って助られて迷子センターに届られ、場内アナウンスで保護者に子供が迷子になっていることを知らせ、また、友人等とはぐれてしまった場合には、伝言パネル等に存在箇所又は待ち合わせ場所を記入して知らせることによってこのような事態に対応していた。
【０００３】
【発明が解決しようとする課題】
ところが、迷子になった場合には、迷子センターに届けて場内アナウンスしてもらうのに時間がかかり、迷子になった子供達は、社会的不安から誰に相談してよいのかわからずに迷ったあげく、ただ泣き出すだけであり、知らない人に助けてもらってもその人に対する信頼感がなく、場合によっては危険な事態も生じる虞があるという問題があった。
また、友人等とはぐれてしまった場合に待ち合わせに使用する伝言パネル等も入り口付近に掲示板として設置してあるだけで、待ち合わせの伝言を友人等に正確に伝達できないという問題があった。
本発明は、上記従来の問題に鑑みてなされたものであって、百貨店や遊園地等の多数の人が入場する会場内で保護者とはぐれて迷子になったり、友人等とはぐれてしまった場合に、保護者に対する迷子の連絡や、友人等との待ち合わせの連絡をスムーズに且つ正確に行うことができる記憶媒体カードを利用した会場内発見連絡システムを提供することを目的としている。
【０００４】
【課題を解決するための手段】
本発明は、上記目的を達成するためになされたものであって、請求項１の記憶媒体カードを利用した会場内発見連絡システムは、百貨店や遊園地等の多数の人が入場する会場内で、迷子や待ち合わせ等の連絡を行うための会場内発見連絡システムであって、迷子や待ち合わせ人等の少なくとも名前を記憶した記憶媒体カードと、前記会場内における複数箇所に設置され、カード読み取り部を有する発見連絡機と、前記複数の発見連絡機に接続され、少なくとも１つの発見連絡機からの入力情報を、他の発見連絡機に出力する中央情報コントローラとを備え、前記発見連絡機には、前記カード読み取り部と、用件表示用操作部と、用件表示部とが設けられ、前記中央情報コントローラには、前記少なくとも１つの発見連絡機が有する前記カード読み取り部に於いて読み取られた前記記憶媒体カードの情報と該送信を行った発見連絡機の情報を入力情報として記憶する記憶部と、前記情報を表示する表示部と、前記情報を他の発見連絡機に送信して他の発見連絡機の用件表示部に表示するための送信部とが設けられ、前記他の発見連絡機は、前記発見連絡機からの入力情報に対する応答情報を、前記中央情報コントローラに送信し、該中央情報コントローラが、前記記録部に記録される入力情報を元に、この入力情報を送信した前記発見連絡機を特定し、この発見連絡機へ前記応答情報を送信するものである。
【０００５】
請求項３の記憶媒体カードを利用した会場内発見連絡システムは、請求項１又は２の記憶媒体カードを利用した会場内発見連絡システムにおいて、発見連絡対象が迷子である場合には、前記中央情報コントローラに入力された迷子情報を会場内に音声で伝達するための音声伝達手段が更に設けられ、発見連絡機には、前記音声伝達手段による音声情報に基づいて迷子応答情報を用件表示部に表示させるための応答操作部が設けられているものである。請求項４の記憶媒体カードを利用した会場内発見連絡システムは、前記発見連絡機が、会場内の複数箇所に設置された自動販売機に組み込まれているものである。請求項５の記憶媒体カードを利用した会場内発見連絡システムは、前記発見連絡機が、会場内の複数箇所に設置された空き缶回収機に組み込まれているものである。請求項６の記憶媒体カードを利用した会場内発見連絡システムは、前記記憶媒体カードが、光学読み取りカード、非接触式記憶カード、磁気記憶カード、光印字記憶カード、エンボス式読み取りカードのいずれかであることからなるものである。
【０００６】
請求項１の記憶媒体カードを利用した会場内発見連絡システムによれば、百貨店や遊園地等の多数の人が入場する会場内で、子供が保護者とはぐれて迷子になったり、大人等が友人等とはぐれてしまった場合に、迷子になった子供や友人達とはぐれた人が、少なくとも自分の名前を記憶した記憶媒体カードを、会場内に設置された最寄りの発見連絡機のカード読み取り部で読み取らせ、用件表示用操作部を操作すると、この発見連絡機に迷子になった場所や友人等との待ち合わせ場所等の情報が用件表示部に表示されると同時に、この発見連絡機から中央情報コントローラにこれらの情報が送信され、この中央情報コントローラの記憶部にこれらの情報が記憶されるとともに、表示部に表示される。更に、これらの情報は送信部から他の発見連絡機に送信され、他の発見連絡機の用件表示部に表示される。迷子になった子供の保護者やはぐれた友人等が、他の発見連絡機の用件表示部に表示された情報を読み取ることによって、保護者は迷子になった子供の存在箇所を知ることができ、はぐれた友人達は、情報を出した本人の存在箇所を知ることができる。したがって、保護者とはぐれて迷子になったり、友人等とはぐれてしまった場合に、保護者に対する迷子の連絡や、友人等との待ち合わせの連絡をスムーズに且つ正確に行うことができる。
請求項２の記憶媒体カードを利用した会場内発見連絡システムによれば、カードを挿入した利用者の映像情報が作成されるので、迷子発見の確実性が増すとともに、カードを拾った他人のいたずらや犯罪的使用を防止することができる。
【０００７】
請求項３の記憶媒体カードを利用した会場内発見連絡システムによれば、発見連絡対象が迷子である場合、音声伝達手段によって、中央情報コントローラに入力された迷子情報が会場内に音声で放送されるので、保護者はこの音声による迷子情報を聞き取り、最寄りの発見連絡機の応答操作部を操作して迷子応答情報を入力する。すると、迷子になった子供からの迷子情報を保護者が知ることができたことが、迷子応答情報として子供側の発見連絡機の用件表示部に表示され、迷子になった子供と保護者との連絡を正確に行うことができ、保護者が迷子になった子供の居る発見連絡機の場所まで行って子供を発見することによって、子供の迷子状態が解消される。
【０００８】
請求項４の記憶媒体カードを利用した会場内発見連絡システムによれば、発見連絡機が、会場内の複数箇所に設置された自動販売機に組み込まれているので、会場内に発見連絡機を設置するスペースを必要とせず、また、見て分かり易い自動販売機に発見連絡機が組み込まれているので、この発見連絡機の有る場所を容易に知ることができ、発見連絡機の使用を効率的に行うことができる。しかも、自動販売機で飲料缶等の商品を購入するときに、これに組み込まれた発見連絡機の用件表示部を見ることができるので、子供が迷子になっていることや、友人等がはぐれていることを知ることができ、早期にこのような事態を知ることができて、迷子になっている子供やはぐれた友人等の現在の居場所や待ち合わせ場所を正確に判断することができる。
【０００９】
請求項５の記憶媒体カードを利用した会場内発見連絡システムによれば、発見連絡機が、会場内の複数箇所に設置された空き缶回収機に組み込まれているので、会場内に発見連絡機を設置するスペースを必要とせず、また、見て分かり易い空き缶回収機に発見連絡機が組み込まれているので、この発見連絡機の有る場所を容易に知ることができ、発見連絡機の使用を効率的に行うことができる。しかも、空き缶回収機に飲み干した飲料缶（空き缶）を投入するときに、これに組み込まれた発見連絡機の用件表示部を見ることができるので、子供が迷子になっていることや、友人等がはぐれていることを知ることができ、早期にこのような事態を知ることができて、迷子になっている子供やはぐれた友人等の現在の居場所や待ち合わせ場所を正確に判断することができる。
【００１０】
請求項６の記憶媒体カードを利用した会場内発見連絡システムによれば、記憶媒体カードが、光学読み取りカード、非接触式記憶カード、磁気記憶カード、光印字記憶カード、エンボス式読み取りカードのいずれかであることからなるものであるから、記憶媒体機能をもつ種々のカードを使用することができ便利である。
【００１１】
【実施例】
以下、本発明に係る記憶媒体カードを利用した会場内発見連絡システムの実施例について、図面を参照しつつ説明する。
図１は実施例の記憶媒体カードを利用した会場内発見連絡システムの基本構造を示し、図２は迷子情報を表示している発見連絡機を示し、図３は会場内における複数の発見連絡機とこれらの発見連絡機に接続された中央情報コントローラの設置状態を示し、図４は実施例の記憶媒体カードを利用した会場内発見連絡システムの基本動作をフローチャートに示している。
本実施例記憶媒体カードを利用した会場内発見連絡システムは、百貨店や遊園地等の多数の人が入場する会場Ｋ内で、迷子や待ち合わせ等の連絡を行うものであり、迷子や待ち合わせ人等の少なくとも名前を記憶した記憶媒体カード（図示略）と、会場Ｋ内における複数箇所に設置され、カード読み取り部１ａを有する発見連絡機１と、これら複数の発見連絡機１に接続され、少なくとも１つの発見連絡機１からの入力情報を、他の発見連絡機１に出力する中央情報コントローラ２とを備えている。
発見連絡機１には、カード読み取り部１ａと、送信釦からなる用件表示用操作部１ｂと、用件表示部１ｃとが設けられ、中央情報コントローラ２のＣＰＵ２Ａには、少なくとも１つの発見連絡機１から送信された情報を記憶する記憶部２ａと、情報を表示する表示部２ｂと、情報を他の発見連絡機１に送信して他の発見連絡機１の用件表示部１ｃに表示するための入出力インターフェースからなる送信部２ｃとが設けられているものである。
尚、発見連絡対象が迷子である場合には、図１に示すように、中央情報コントローラ２のＣＰＵ２Ａに入力された迷子情報を会場Ｋ内に音声で伝達するための音声伝達手段２ｄが更に設けられ、発見連絡機１には、図２に示すように、音声伝達手段２ｄによる音声情報に基づいて迷子応答情報を用件表示部１ｃに表示させるための応答釦からなる応答操作部１ｄが設けられている。
これらの音声伝達手段２ｄと応答操作部１ｄは、会場内発見連絡システムが待ち合わせ用に使用されるものである場合には、設けなくてもよいものである。
図１において、符号２ｅはＲＡＭ、２ｆはＲＯＭを示し、図３において、符号３は、会場Ｋの出入口Ｄの内側に設置され、記憶媒体カードを読み取らすことによって、会場Ｋ内に入場した人の名前を登録するための書き込みリーダであって、この書き込みリーダ３の代わりにＣＰＵを使用してもよい。
【００１２】
次に、上記のように構成された本実施例の記憶媒体カードを利用した会場内発見連絡システムの基本動作について、図４のフローチヤートを参照しつつ説明する。
会場Ｋ内に入場する人が、出入口Ｄの内側に設置された書き込みリーダ３に記憶媒体カードを読み取らすと中央情報コントローラ２のＣＰＵ２Ａの記憶部２ａにその人の名前が記憶される。
会場Ｋ内に多数の人が入場し、会場Ｋ内の混雑に伴って、子供の迷子が出た場合、この迷子の子供が持参している記憶媒体カードを近くに配置されている発見連絡機１のカード読み取り部１ａに読み取らせ、送信釦からなる用件表示用操作部１ｂを押し操作する。
すると、発見連絡機１の用件表示部１ｃに、例えば、図２に示すように、「勝美は現在Ｇ所にいます。」等の表示がなされ、子供の名前と居場所等が表示される。
なお、図示しないが発見連絡機１の近傍にビデオカメラを設け、記憶媒体カードを挿入している迷子を写し、この映像を要件１ｃに表示される構造としてもよい。これにより、迷子発見の確実性が増し、例えばカードを拾った他人のいたずらや犯罪的使用を防止できる。
これとともに、この発見連絡機１から迷子情報が、中央情報コントローラ２のＣＰＵ２Ａに送信され、迷子情報がこの中央情報コントローラ２の記憶部２ａに記憶されるとともに表示部２ｂに表示される。
更に、ＣＰＵ２Ａから音声伝達手段２ｄに迷子情報が送信され、この音声伝達手段２ｄによって、会場Ｋ内にこの迷子情報が音声で伝達される（ステップ１０１〜１０４参照）。
迷子になっている子供の保護者は、この音声による迷子情報を聞いて最寄りの発見連絡機１の場所に行き、この発見連絡機１の応答釦からなる応答操作部１ｄを押し操作する。
ここで、ＣＰＵ２Ａでは、応答操作がなされたかどうかが判別され、応答操作があるまで、音声伝達手段２ｄから迷子情報が会場Ｋ内に音声で流される。
上記のようにして、応答操作がなされると、応答側の発見連絡機１の用件表示部１ｃに、例えば、「勝美は現在Ｇ所にいます。」等の表示がなされるので、保護者は迷子になった子供の居場所を知ることができる（ステップ１０５，１０６参照）。
そこで、応答側の発見連絡機１による応答操作によって、迷子応答情報が中央情報コントローラ２のＣＰＵ２Ａに送信され、この中央情報コントローラ２のＣＰＵ２Ａで迷子応答情報が受信されると、この中央情報コントローラ２のＣＰＵ２Ａから入出力インターフェースからなる送信部２ｃを介して、迷子の子供の居る送信側の発見連絡機１に迷子応答情報が送信され、この送信側の発見連絡機１でこの迷子応答情報が受信され、この送信側の発見連絡機１の用件表示部１ｃに、例えば、「分かりました、直ぐ勝美を迎えに行きます。」等の表示がなされる（ステップ１０７〜１１１参照）。
このようにして、保護者が迷子のなった子供の居場所を知ることができると、保護者は、迷子になった子供の居る送信側の発見連絡機１の場所まで行って迷子になった子供を発見することによって、子供の迷子状態が解除される。
【００１３】
図５は待ち合わせ用の発見連絡機１Ａの一例を示すものであって、この待ち合わせ用の発見連絡機１Ａには、カード読み取り部１ａと、送信釦からなる用件表示用操作部１ｂと、用件表示部１ｃと、応答操作部１ｄと、待ち合わせ場所指定用操作部１ｅと、待ち合わせ時刻操作部１ｆとが設けられている。
会場内で友人達とはぐれた場合には、最寄りの発見連絡機１Ａの場所に行き、カード読み取り部１ａに記憶媒体カードを読み取らせ、送信釦からなる用件表示用操作部１ｂを押し操作し、待ち合わせ場所指定用操作部１ｅを操作して待ち合わせ場所とする発見連絡機１Ａのナンバーを押し操作し、更に、待ち合わせ時刻操作部１ｆを操作して、待ち合わせ時刻を押し操作する。
すると、この発見連絡機１Ａの用件表示部１ｃには、例えば、図５に示すように、例えば、「正彦はＰ．Ｍ６：００にＤ所で待ちます。」等の表示がなされる。
この待ち合わせ表示は、この発見連絡機１Ａのみになされても、会場Ｋ内の各発見連絡機１Ａに同時になされてもよい。
会場Ｋ内の各発見連絡機１Ａに待ち合わせ表示がなされる場合には、上記した迷子情報表示と同様に、この発見連絡機１Ａから待ち合わせ情報が中央情報コントローラ２を介して会場Ｋ内の各発見連絡機１Ａに送信されて、各発見連絡機１Ａがこの待ち合わせ情報が受信されて、各発見連絡機１Ａの用件表示部１ｃに表示される。
はぐれた友人達は、この発見連絡機１Ａの用件表示部１ｃに表示された待ち合わせ情報を読み取ることによって、はぐれた本人（実施例の場合は正彦）の待ち合わせ場所と待ち合わせ時刻とを知ることができ、指定された待ち合わせ時刻に指定された待ち合わせ場所（指定されたＤの発見連絡機１Ａのある場所）に出向くことによって、はぐれた本人に確実に会うことができる。
尚、上記実施例では、迷子用の発見連絡機１と待ち合わせ用の発見連絡機１Ａが別構成のものについて説明したが、迷子用と待ち合わせ用を兼用した発見連絡機を会場Ｋ内に複数設置してよいことは勿論である。
【００１４】
図６は、発見連絡機１Ｂを会場Ｋ内の複数箇所にに設置された清涼飲料水用の自動販売機４に組み込んだ例を示すものであり、この発見連絡機１Ｂは、自動販売機４の表面の見やすい箇所に設置されている。
尚、発見連絡機１Ｂを組み込む自動販売機としては、清涼飲料水用のものに限らず、例えば、煙草用の自動販売機等でもよい。
この例によれば、発見連絡機１Ｂが、会場Ｋ内の複数箇所に設置された自動販売機４に組み込まれているので、会場Ｋ内に発見連絡機１Ｂを設置するスペースを必要とせず、また、見て分かり易い自動販売機４に発見連絡機１Ｂが組み込まれているので、この発見連絡機１Ｂの有る場所を容易に知ることができ、発見連絡機１Ｂの使用を効率的に行うことができる。
しかも、自動販売機４で飲料缶等の商品を購入するときに、これに組み込まれた発見連絡機１Ｂの用件表示部１ｃを見ることができるので、子供が迷子になっていることや、友人等がはぐれていることを知ることができ、早期にこのような事態を知ることができて、迷子になっている子供やはぐれた友人等の現在の居場所や待ち合わせ場所を正確に判断することができる。
【００１５】
図７は、発見連絡機１Ｂを会場Ｋ内の複数箇所に設置された清涼飲料缶用の空き缶回収機５に組み込まれている例を示すものであり、この発見連絡機１Ｂは、空き缶投入口５ａを有する空き缶回収機５の表面の見やすい箇所に設置されている。
この例によれば、発見連絡機１Ｂが、会場Ｋ内の複数箇所に設置された空き缶回収機５に組み込まれているので、会場Ｋ内に発見連絡機１Ｂを設置するスペースを必要とせず、また、見て分かり易い空き缶回収機５に発見連絡機１Ｂが組み込まれているので、この発見連絡機１Ｂの有る場所を容易に知ることができ、発見連絡機１Ｂの使用を効率的に行うことができる。
しかも、空き缶回収機５の空き缶投入口５ａに飲み干した飲料缶（空き缶）を投入するときに、この空き缶回収機５に組み込まれた発見連絡機１Ｂの用件表示部１ｃを見ることができるので、子供が迷子になっていることや、友人等がはぐれていることを知ることができ、早期にこのような事態を知ることができて、迷子になっている子供やはぐれた友人等の現在の居場所や待ち合わせ場所を正確に判断することができる。
【００１６】
【発明の効果】
以上説明したように、請求項１の記憶媒体カードを利用した会場内発見連絡システムは、百貨店や遊園地等の多数の人が入場する会場内で、迷子や待ち合わせ等の連絡を行うための会場内発見連絡システムであって、迷子や待ち合わせ人等の少なくとも名前を記憶した記憶媒体カードと、前記会場内における複数箇所に設置され、カード読み取り部を有する発見連絡機と、前記複数の発見連絡機に接続され、少なくとも１つの発見連絡機からの入力情報を、他の発見連絡機に出力する中央情報コントローラとを備え、前記発見連絡機には、前記カード読み取り部と、用件表示用操作部と、用件表示部とが設けられ、前記中央情報コントローラには、前記少なくとも１つの発見連絡機が有する前記カード読み取り部に於いて読み取られた前記記憶媒体カードの情報と該送信を行った発見連絡機の情報を入力情報として記憶する記憶部と、前記情報を表示する表示部と、前記情報を他の発見連絡機に送信して他の発見連絡機の用件表示部に表示するための送信部とが設けられ、前記他の発見連絡機は、前記発見連絡機からの入力情報に対する応答情報を、前記中央情報コントローラに送信し、該中央情報コントローラが、前記記録部に記録される入力情報を元に、この入力情報を送信した前記発見連絡機を特定し、この発見連絡機へ前記応答情報を送信するものであるから、以下に述べる効果を奏する。即ち、迷子になった子供の保護者やはぐれた友人等が、発見連絡機と中央情報コントローラを介して接続された他の発見連絡機の用件表示部に表示された情報を読み取ることによって、保護者は迷子になった子供の存在箇所を知ることができ、はぐれた友人達は、情報を出した本人の存在箇所を知ることができる。したがって、保護者とはぐれて迷子になったり、友人等とはぐれてしまった場合に、保護者に対する迷子の連絡や、友人等との待ち合わせの連絡をスムーズに且つ正確に行うことができる。
【００１７】
請求項３の記憶媒体カードを利用した会場内発見連絡システムは、請求項１又は２の記憶媒体カードを利用した会場内発見連絡システムにおいて、発見連絡対象が迷子である場合には、前記中央情報コントローラに入力された迷子情報を会場内に音声で伝達するための音声伝達手段が更に設けられ、発見連絡機には、前記音声伝達手段による音声情報に基づいて迷子応答情報を用件表示部に表示させるための応答操作部が設けられているものであるから、以下に述べる効果を奏する。即ち、発見連絡対象が迷子である場合、音声伝達手段によって、中央情報コントローラに入力された迷子情報が会場内に音声で放送されるので、保護者はこの音声による迷子情報を聞き取ることができ、これにより、最寄りの発見連絡機の応答操作部を操作することによって、迷子になった子供との連絡を直ぐに行うことができ、迅速に子供の迷子状態を解消することができる。
【００１８】
請求項４の記憶媒体カードを利用した会場内発見連絡システムは、前記発見連絡機が、会場内の複数箇所に設置された自動販売機に組み込まれているものであるから、以下に述べる効果を奏する。即ち、会場内に発見連絡機を設置するスペースを必要とせず、また、見て分かり易い自動販売機に発見連絡機が組み込まれているので、この発見連絡機の有る場所を容易に知ることができ、発見連絡機の使用を効率的に行うことができる。しかも、自動販売機で飲料缶等の商品を購入するときに、これに組み込まれた発見連絡機の用件表示部を見ることができるので、子供が迷子になっていることや、友人等がはぐれていることを知ることができ、早期にこのような事態を知ることができて、迷子になっている子供やはぐれた友人等の現在の居場所や待ち合わせ場所を正確に判断することができる。
【００１９】
請求項５の記憶媒体カードを利用した会場内発見連絡システムは、発見連絡機が、会場内の複数箇所に設置された空き缶回収機に組み込まれているから、以下に述べる効果を奏する。即ち、会場内に発見連絡機を設置するスペースを必要とせず、また、見て分かり易い空き缶回収機に発見連絡機が組み込まれているので、この発見連絡機の有る場所を容易に知ることができ、発見連絡機の使用を効率的に行うことができる。しかも、空き缶回収機に飲み干した飲料缶（空き缶）を投入するときに、これに組み込まれた発見連絡機の用件表示部を見ることができるので、子供が迷子になっていることや、友人等がはぐれていることを知ることができ、早期にこのような事態を知ることができて、迷子になっている子供やはぐれた友人等の現在の居場所や待ち合わせ場所を正確に判断することができる。
【００２０】
請求項６の記憶媒体カードを利用した会場内発見連絡システムによれば、記憶媒体カードが、光学読み取りカード、非接触式記憶カード、磁気記憶カード、光印字記憶カード、エンボス式読み取りカードのいずれかであることからなるものであるから、記憶媒体機能をもつ種々のカードを使用することができ便利であるという効果を奏する。
【図面の簡単な説明】
【図１】本発明に係る記憶媒体カードを利用した会場内発見連絡システムの実施例の内部構造を示すブロック図である。
【図２】実施例の会場内発見連絡システムの発見連絡機の一例を示す正面図である。
【図３】会場内での発見連絡機と中央情報コントローラの配置状態を示す説明図である。
【図４】実施例の会場内発見連絡システムの迷子連絡動作を示すフローチャートである。
【図５】実施例の会場内発見連絡システムの発見連絡機の他の例を示す正面図である。
【図６】発見連絡機が自動販売機に組み込まれている例を示す斜視図である。
【図７】発見連絡機が空き缶回収機に組み込まれている例を示す斜視図である。
【符号の説明】
Ｄ                        出入口
Ｋ                        会場
１，１Ａ，１Ｂ            発見連絡機
１ａ                      カード読み取り部
１ｂ                      用件表示用操作部
１ｃ                      用件表示部
１ｄ                      応答操作部
１ｅ                      待ち合わせ場所指定用操作部
１ｆ                      待ち合わせ時刻操作部
２                        中央情報コントローラ
２ａ                      記憶部
２ｂ                      表示部
２ｃ                      送信部
２ｄ                      音声伝達手段
２ｅ                      ＲＡＭ
２ｆ                      ＲＯＭ
４                        自動販売機
５                        空き缶回収機
５ａ                      空き缶投入口
【図１】
0003686122.tif 000002
【図２】
0003686122.tif 000003
【図３】
0003686122.tif 000004
【図４】
0003686122.tif 000005
【図５】
0003686122.tif 000006
【図６】
0003686122.tif 000007
【図７】
0003686122.tif 000008